【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
少なくとも入口及び出口を有し、流体のボリュームを受けるように構成されたハウジングと、
前記ハウジングの内部ボリュームに結合され、外面、内面及び開口部を含む実質的に円錐状の熱伝達要素と、
を備え、
前記実質的に円錐状の熱伝達要素は、流体の一部が前記外面の上の前記流体のボリュームから沸騰して、前記流体の一部が前記開口部を通って移動し、前記内面で凝縮するように構成される装置。
【請求項２】
前記実質的に円錐状の熱伝達要素の前記外面が、前記ハウジングのボイラ部分の少なくとも一部を画定し、前記円錐状の熱伝達要素の前記内面が、前記ハウジングの凝縮器部分の少なくとも一部を画定する、請求項１に記載の装置。
【請求項３】
前記実質的に円錐状の熱伝達要素がベースを有し、前記開口部が前記ベースに対向し、前記円錐状の熱伝達要素は、前記流体の一部が前記流体のボリュームから沸騰すると、前記流体のボリュームが前記外面上を前記ベースに向かって流れるように構成される、請求項１に記載の装置。
【請求項４】
前記流体が実質的に液体の状態の水であり、その少なくとも一部が溶解不純物を含み、前記実質的に円錐状の熱伝達要素の前記外面が、前記ハウジングのボイラ部分の少なくとも一部を画定し、前記流体の一部が、標準大気圧より低い圧力で前記ボイラ部分内で沸騰する、請求項１に記載の装置。
【請求項５】
前記ハウジング又は前記実質的に円錐状の熱伝達要素のうちの少なくとも一方に結合された圧縮部品をさらに備え、前記流体の一部が前記圧縮部品によって移動する、請求項１に記載の装置。
【請求項６】
前記円錐状の熱伝達要素がベースを有し、前記開口部が前記ベースに対向し、前記装置が、
前記ハウジング又は前記実質的に円錐状の熱伝達要素のうちの少なくとも一方に結合された圧縮部品をさらに備え、前記流体の一部が前記圧縮部品によって移動して、圧縮され、前記圧縮部品が、軸線を中心にして回転するように構成された細長い部材を有し、前記軸線が前記ベースから前記開口部へと延びる、請求項１に記載の装置。
【請求項７】
前記流体の一部が移動すると、ある量のエネルギーが前記流体の一部に加えられ、前記流体の一部が前記内面にて凝縮すると、前記エネルギー量が前記内面から前記外面へと伝達される、請求項１に記載の装置。
【請求項８】
前記流体の一部が、実質的に第１の物質であり、前記流体のボリュームが、前記第１の物質と第２の物質を含む混合物である、請求項１に記載の装置。
【請求項９】
前記流体のボリュームが、前記流体の一部の不純物濃度より高い不純物濃度を有する水のボリュームである、請求項１に記載の装置。
【請求項１０】
第１の区間及び第２の区間を含み、第１の物質と第２の物質の混合物を前記第１の区間で受けるように構成されたハウジングと、
前記ハウジングに結合され、前記第１の区画の少なくとも一部及び前記第２の区画の少なくとも一部を画定する熱伝達要素と、
前記第１の区画に結合され、前記第１の物質の一部が前記第１の物質の一部の第１の位相変化を介して、前記第１の区間で前記混合物から分離した後に、前記第１の物質の一部を前記第１の区間から前記第２の区間へと移動するように構成された圧縮部品であって、前記第１の位相変化が、前記熱伝達要素を介して前記混合物へと伝達された熱によって引き起こされる圧縮部品と、
を備え、
前記第１の物質の一部の圧力及び温度が上昇するように、前記圧縮部品が、前記第１の物質の一部を移動するように構成され、前記第１の物質の一部が前記第２の区間へと移動した後に、前記第１の物質の一部の第２の位相変化に関連する熱を伝達するように、前記熱伝達要素が構成され、前記第２の位相変化が前記第１の位相変化の後に生じる装置。
【請求項１１】
前記第１の位相変化に関連する前記熱の量が、前記第２の位相変化に関連する前記熱の量と実質的に等しい、請求項１０に記載の装置。
【請求項１２】
前記第１の物質の一部が、標準大気圧より低い圧力で前記混合物から分離され、前記第１の物質の一部の前記第１の位相変化が、前記混合物に含まれるカルシウム系物質の沈殿温度より低い温度で生じる、請求項１０に記載の装置。
【請求項１３】
前記第１の区間が凝縮器であり、前記第２の区間がボイラであり、前記第１の物質が水であり、前記第２の物質が水でイオン化する化合物である、請求項１０に記載の装置。
【請求項１４】
前記熱伝達要素が円筒断面を有する、請求項１０に記載の装置。
【請求項１５】
前記熱伝達要素の部分の少なくとも１つが円錐形状を有するか、又は前記ハウジングの一部が、ポリマー系材料である、請求項１０に記載の装置。
【請求項１６】
少なくとも入口及び出口を有し、少なくとも一部が溶解物質を含む実質的に液体状態の流体のボリュームを受けるように構成されたハウジングと、
前記ハウジングの内部ボリュームに結合され、前記第１の部分の蒸気圧が自身の外面周辺に配置された領域の圧力と実質的に等しくなるように、自身の外面に配置された流体のボリュームの第１の部分へと潜熱を伝達するように構成された熱伝達要素であって、前記潜熱が、前記熱伝達要素の内面に前記第２の部分が接触して、凝縮した場合に、前記流体のボリュームの第２の部分からのものである熱伝達要素と、
を備える装置。
【請求項１７】
前記流体の第１の部分が、標準大気圧より低い圧力にて、実質的に前記熱伝達要素を介して前記流体の第１の部分に伝達された潜熱だけによって、前記流体のボリュームから沸騰する、請求項１６に記載の装置。
【請求項１８】
前記ハウジングに結合され、前記第２の部分を前記熱伝達要素の前記外面の周辺に配置された前記領域から前記熱伝達要素の前記内面の内側に配置された領域へと移動させるように構成された圧縮部品であって、前記熱伝達要素の前記内面の内側に配置された前記領域が、前記熱伝達要素の前記外面の周辺に配置された前記領域の圧力より高い圧力を有し、かつ、前記熱伝達要素の前記外面の周辺に配置された前記領域の温度より高い温度を有する圧縮部品をさらに備える、請求項１６に記載の装置。
【請求項１９】
前記ハウジングに結合され、前記ハウジングで水のボリュームを受ける前に、前記熱伝達要素の前記外面の周辺に配置された前記領域の前記圧力を、標準大気圧より実質的に低い圧力へと低下させるように構成された真空ポンプをさらに備える、請求項１６に記載の装置。
【請求項２０】
前記ハウジングに結合され、前記熱伝達要素が定常状態で前記潜熱を伝達するまで、前記流体のボリュームを加熱するように構成された加熱要素と、
前記ハウジングに結合され、前記潜熱に応答する前記第１の部分の位相変化を容易にするように構成された超音波変換器と、
をさらに備える、請求項１６に記載の装置。
【請求項２１】
熱伝達要素の第１の側面上の領域内で第２の流体のボリュームから第１の流体のボリュームが沸騰した後に、前記第１の流体のボリュームを前記熱伝達要素の第１の側面上の前記領域から前記熱伝達要素の第２の側面上の領域へと移動させるステップであって、前記第１の流体のボリュームが前記第２の流体のボリュームの不純物濃度より低い不純物濃度を有し、前記熱伝達要素の第２の側面上の前記領域が、前記熱伝達要素の上の前記領域の温度より高い温度を有するステップと、
前記第１の流体のボリュームから前記熱伝達要素の外面上の第３の流体のボリュームに潜熱を伝達するステップであって、前記潜熱が前記第１の流体のボリュームの凝縮時に放出されるステップと、
を含む方法。
【請求項２２】
前記潜熱が第１の潜熱であり、前記第１の潜熱が前記第３の流体のボリュームの相変化を引き起こす第２の潜熱に関連するエネルギーに実質的に等しく、
前記第１の流体のボリュームに関連するエネルギーが指定のエネルギー量だけ増加するように、前記第１の流体のボリュームを圧縮するステップであって、前記指定されたエネルギー量が、前記第１の潜熱に関連するエネルギーに含まれるステップをさらに含む、請求項２１に記載の方法。
【請求項２３】
前記第１の流体のボリュームの温度又は圧力の少なくとも一方が上昇するように、前記第１の流体のボリュームを圧縮するステップをさらに含む、請求項２１に記載の方法。
【請求項２４】
前記第１の流体のボリュームが前記第２の流体のボリュームから沸騰する前、及び前記潜熱に関連する前記伝達の前に、前記第２の流体のボリュームに関連する熱を前記第３の流体のボリュームに伝達するステップをさらに含む、請求項２１に記載の方法。
【請求項２５】
少なくとも入口及びブライン捕集部分を有し、前記入口を介して塩水のボリュームを受けるように構成されたハウジングと、
前記ハウジングの内部ボリュームに結合され、少なくとも一部が水平面に対してある角度で配置された表面を含む熱伝達要素であって、前記塩水から水の一部が沸騰し、前記塩水の塩分濃度が上昇するように、前記塩水に潜熱を伝達するように構成された熱伝達要素と、
前記ブライン捕集部分が、前記塩水の前記塩分濃度が上昇した後に、前記塩水を受けるように構成され、
前記塩水から沸騰した水の少なくとも一部を圧縮するように構成され、前記水の一部を前記熱伝達要素の底面に向かって移動させるように構成された圧縮部品と、
を備える装置。